(57)【要約】      （修正有）【課題】屋外等の場所で食事を取る際にその場で容易に組み立てが可能な上に、携帯性、コンパクト性、及びリサイクル性に富んだ簡易組立式トレーを提供する。【解決手段】トレー１０は樹脂から作られた平板２０と側壁板３０とを備える。平板にはその一端から他端まで延びかつ平板を複数の板区分２２ａ〜２２ｅに仕切る切欠溝２１ｂ〜２１ｄと、これら端から外側に延びた突出部２３ａ〜２３ｅと、が形成される。側壁板には平板の突出部の断面形状に対応した開口部３２ａ〜３２ｅが設けられる。平板に側壁板を組み付けた際に突出部が開口部に嵌め込まれる。平板の突出部の近傍には凸部２４ａ〜２４ｅが形成され、また、側壁板にもその上端から下端まで延びた切欠溝３１がさらに形成されていることが好ましい。トレーを組み立て無い状態では、平板や側壁板が切欠溝を基に折り畳まれ、側壁板が帯状体等によって平板と一纏めにされていることが好ましい。【選択図】図３
0003163761.tif 000002
【実用新案登録請求の範囲】
【請求項１】
樹脂製の平板と樹脂製の側壁板とを備えた簡易組立式トレーであって、
前記平板には、前記平板の一端から他端まで延びかつ前記平板を複数の板区分に仕切る少なくとも１つの切欠溝と、前記端から外側に延びた突出部と、が形成され、
前記側壁板には、前記平板の前記突出部の断面形状に対応した開口部が設けられ、
前記平板に前記側壁板を組み付けた際に前記突出部が前記開口部に嵌め込まれるよう前記開口部が前記側壁板に配設されていることを特徴とする簡易組立式トレー。
【請求項２】
前記平板の前記突出部の近傍に凸部が形成されていることを特徴とする請求項１記載の簡易組立式トレー。
【請求項３】
前記側壁板には、前記側壁板の上端から下端まで延びた少なくとも１つの切欠溝がさらに形成されていることを特徴とする請求項１又は２記載の簡易組立式トレー。
【請求項４】
前記トレーの左右両側に位置する前記板区分には把手部が形成されていることを特徴とする請求項１〜３のいずれか１項に記載の簡易組立式トレー。
【請求項５】
前記簡易組立式トレーは帯状体又は袋状物をさらに備え、
前記簡易組立式トレーを組み立てない状態では、前記平板又は前記側壁板の少なくとも一方が前記切欠溝を基に折り畳まれ、かつ、前記側壁板が前記帯状体又は前記袋状物によって前記平板と一纏めにされていることを特徴とする請求項１〜４のいずれか１項に記載の簡易組立式トレー。
【考案の詳細な説明】
【技術分野】
【０００１】
本考案は、簡易組立式トレーに関するものであり、詳しくは、スポーツ観戦施設や屋外にて食事を取る際にその場で容易に組み立てが可能な上に、携帯性、コンパクト性、及びリサイクル性に富んだ簡易組立式トレーに関するものである。
【背景技術】
【０００２】
従来、スポーツ観戦施設等で利用可能なトレーとして、例えば、特許文献１〜３に開示されているような紙で作られたトレーが既に提案されている。このような紙製トレーは軽量性に富むものの、幾つかの不都合が存在した。
【０００３】
第一の不都合として、組み立てに当たっては、特許文献１，２の提案では組立箇所を部分的に糊付けする必要があるため、トレー製造者又は食事提供者においてトレーの組み立てを必要最低限行わなければならず、食事を取る者本人がトレー使用の際に、最初から容易に組み立てることはできない。
【０００４】
第二の不都合として、紙製トレーは剛性に掛けるため、例えば、特許文献３に示すように、ボックス状に成形する必要がある。そのため、飲食物を収容するための孔等を所々、形成するように台紙にパンチさせたりするなどの設計が必要になる。
【０００５】
また第三の不都合として、これらのトレーはいずれも紙であるため、水や湿気に弱く、何度も使用することはできない。
【０００６】
上述の紙製トレーの他、合成樹脂等でその大半が作られた携帯用トレーが特許文献４に開示されている。この携帯用トレーは、互いにヒンジ部材で連結された半部から構成され、この連結部で折り畳むことができるため、不使用時はコンパクトな携帯が可能である。しかしながら、ヒンジ部材を要するため、製造のための部品数や工程が増えてしまうとともに、食事提供場所での組み立ては不可能である。また、この携帯用トレーは、上記半部のぐらつき（ヒンジ部材を中心にした回動）を無くすために、さらに掛止具を要することになるため、さらに複雑な構造となってしまう。
【０００７】
なお、本願の考案者も特許文献５に示すように、既に組み立て式のトレーを提案しているが、特許文献５に示すトレーは、構成要素の交点を分散させて耐強度を高めることを目的としたものであり、上述のような課題を解決するものではない。
【先行技術文献】
【特許文献】
【０００８】
【特許文献１】実開平６−７２４７９号公報
【特許文献２】特開平７−２６５１３２号公報
【特許文献３】特開平９−２２４８０４号公報
【特許文献４】実開平７−４４４１７号公報
【特許文献５】登録実用新案第３１５９４１６号公報
【考案の概要】
【考案が解決しようとする課題】
【０００９】
本考案は、このような従来の実情に鑑みて提案されたものであり、従来の技術が有する欠点を排除した簡易組立式トレーを提供することを目的とする。すなわち、本考案は、屋外等の場所にて食事を取る際にその場で容易に組み立てが可能な上に、携帯性、コンパクト性、及びリサイクル性に富んだ簡易組立式トレーを提供することを目的とする。
【課題を解決するための手段】
【００１０】
本考案者は、トレーの構成部品として、（１）紙よりも強度や耐水性に優れる樹脂から作られた一枚の平板を利用すること、（２）この平板やこれを取り囲む側壁板に少なくとも一つ以上の切欠溝を形成すればこれらの板は折り畳み可能になること、（３）この平板の端面に少なくとも一つ以上の突出部を設け、この突出部に対応した形状と配設位置とを有した開口部を前記側壁板に形成してこれらを結合させれば、部品点数は極端に少なくなり、不使用時はこれらを折り畳むことでコンパクトになり、さらに食事摂取場所でトレーの組み立てが可能になることを見出し、本考案を完成するに至った。
【００１１】
すなわち、本考案は、次の構成・特徴を採用するものである。
１.  樹脂製の平板と樹脂製の側壁板とを備えた簡易組立式トレーであって、
前記平板には、前記平板の一端から他端まで延びかつ前記平板を複数の板区分に仕切る少なくとも１つの切欠溝と、前記端から外側に延びた突出部と、が形成され、
前記側壁板には、前記平板の前記突出部の断面形状に対応した開口部が設けられ、
前記平板に前記側壁板を組み付けた際に前記突出部が前記開口部に嵌め込まれるよう前記開口部が前記側壁板に配設されていることを特徴とする簡易組立式トレー。
２．  前記平板の前記突出部の近傍に凸部が形成されていることを特徴とする１記載の簡易組立式トレー。
３．  前記側壁板には、前記側壁板の上端から下端まで延びた少なくとも１つの切欠溝がさらに形成されていることを特徴とする１又は２記載の簡易組立式トレー。
４．  前記トレーの左右両側に位置する前記板区分には把手部が形成されていることを特徴とする１〜３のいずれか１項に記載の簡易組立式トレー。
５．  前記簡易組立式トレーは帯状体又は袋状物をさらに備え、
前記簡易組立式トレーを組み立てない状態では、前記平板又は前記側壁板の少なくとも一方が前記切欠溝を基に折り畳まれ、かつ、前記側壁板が前記帯状体又は前記袋状物によって前記平板と一纏めにされていることを特徴とする１〜４のいずれか１項に記載の簡易組立式トレー。
【考案の効果】
【００１２】
本考案の簡易組立式トレーは、構成部材の平板と側壁板とが全て樹脂から作られているため、紙製トレーに比して強度や耐水性及び耐久性に富み、何度も利用可能である。
【００１３】
また、本考案では、従来技術では別部材で用意していたヒンジを利用せず、代わりに、これらの平板や側壁板に前記切欠溝が形成される。このような構成にすることで各構成部材を折り畳み可能にし、かつ、部品点数を大幅に削減することに成功した。また、これらの構成部材はヒンジ等の金属部材が取り付けられていないため、仮に本考案のトレーを廃棄する場合にも廃棄物（各構成部材）の分別が容易になり、環境リサイクルに調和したものとなる。
【００１４】
また、本考案のトレーは平板に設けられた突出部と側壁板に形成された開口部とが嵌合可能であるため、容易に側壁板を平板に組み付けることが可能である。従って、組み立てに必要な工具を何ら必要とせず、食事摂取場所にて簡単に組み立てが可能になる。また、このように組み付けることでトレー全体の剛性は高まり、堅固になる。また、突出部の近傍に凸部をさらに設置することで側壁板がふとした拍子に抜け落ちることを防止でき、構成部品の組み付け状態がより堅固になる。
【００１５】
トレー販売時などトレーを組み立てていない状態では、平板や側壁板は切欠溝を基に折り畳まれるが、さらに帯状体や袋状物を用意して側壁板を平板に一体にすれば、これらのトレー構成部材は組み立て前でも容易に一纏まりになり携帯性が格段に向上する。
【図面の簡単な説明】
【００１６】
【図１】本考案の実施例１に係るトレー構成部材を説明した図である。
【図２】本考案の実施例１に係るトレー構成部材を折り畳んで一纏めにする際の状態を示した図である。
【図３】本考案の実施例１に係るトレーの分解斜視図を示した図である。
【図４】本考案の実施例１に係る組立後のトレーの斜視図を示した図である。
【図５】本考案の実施例１に係るトレーが実際に利用に供される例を示した図である。
【図６】本考案の実施例２に係るトレーの斜視図（組立後）を示した図である。
【考案を実施するための形態】
【００１７】
以下、本考案を図面に示す実施の形態に基づき説明するが、本考案は、下記の具体的な
実施形態に何等限定されるものではない。
【実施例１】
【００１８】
（トレーを構成する各部材の構造）
図１は本考案のトレー１０を構成する各部材２０，３０を説明した図である。図１（ａ）は平板２０の平面図を示し、図１（ｂ）は側壁板３０の平面図を、図１（ａ）に示した平板２０と同一縮尺で示す。なお、図１（ｃ）は平板２０の正面図を示すが、説明の便宜上、拡大して表示するとともに、平板２０は中心線Ｏから対称な構成をなすため左半分のみ示す。平板２０は、トレー１０の一部として組み立てられると、飲食物の荷重を直接支持するトレー１０の底面を構成する。
【００１９】
図１に示す平板２０や側壁板３０は、例えばプラスチック等の合成樹脂材料から作られる。このようにトレー１０の各構成部材を樹脂製とすることで、紙製のトレーに比べ強度、剛性、耐水性等の性能に優れ、一方、金属製のトレーに比べ軽量性・携帯性に優れた組立式トレー１０を提供することが可能になる。
【００２０】
図１（ａ）に示すように、平板２０には、この平板２０の表面及び裏面に一端から他端まで（図示では上端から下端まで）延びた少なくとも１つの切欠溝２１（本実施例では、一方の面上に２１ａ，２１ｂ，２１ｃ，２１ｄの合計４本）が設置されている。これらの切欠溝２１ａ〜２１ｄは、平板２０を複数の板区分２２（本実施例では、２２ａ，２２ｂ，２２ｃ，２２ｄ，２２ｅの合計５区分）に区画する。また、上端及び下端から外側に延びた複数の突出部２３が複数対（本実施例では、上端及び下端の各端に６つ、２３ａ，２３ｂ，２３ｃ１，２３ｃ２，２３ｄ，２３ｅ）形成されている。
【００２１】
図１（ｃ）に示すように、切欠溝２１（図示では２１ａ，２１ｂ）は、平板２０の他の部分（例えば、図示の板区分２２ａ〜２２ｃ）に比してより薄い肉厚を有しており、かつ、その肉厚の方向の中央に配設されている。従って、板区分２２ａ〜２２ｅは切欠溝２１ａ〜２１ｄによって互いに連結されており、連結された一方の板区分２２（例えば、２２ａ）を、切欠溝２１（例えば、２１ａ）を中心として回動させることができ、極端には、その表面が他方の板区分２２（例えば、２２ｂ）の表面に接触する程に板区分２２ａを折り曲げることができる。
【００２２】
（トレーの組立）
本実施例のトレー１０には、平板２０をその両側からあてがう２枚の側壁板３０が用意される。図１（ｂ）に示すように、側壁板３０には、平板２０の突出部２３ａ〜２３ｅに対応した断面形状と配設位置とを有した開口部３２（本実施例では、３２ａ，３２ｂ，３２ｃ１，３２ｃ２，３２ｄ，３２ｅの合計６つ）が設けられる。これらの側壁板３０を平板２０に組み付けた際には、図３に示すように突出部２３ａ〜２３ｅは対応する開口部３２ａ〜３２ｅに嵌め込まれることで、本考案のトレー１０が図４に示すように形作られ、その構造が堅固になる。
【００２３】
平板２０には、突出部２３ａ〜２３ｅが配設された前記端（図１（ａ）では上端及び下端）に加え、一端（左右いずれかの側端つまりトレー１０の両側部分）をさらに有した板区分２２ａ，２２ｅには把手部が形成されていることが好ましい。図示の例では、板区分２２ａ，２２ｅに形成された湾曲部２５ａ，２５ｂと開口部２６ａ，２６ｂとが把手部を形成する。これにより、組み立て後のトレー１０は持ち運び容易となる。
【００２４】
また、上述の板区分２２ａ，２２ｅに形成された突出部２３ａ，２３ｅに対応する側壁板３０の開口部３２ａ，３２ｅは、他の開口部３２ｂ〜３２ｄの配設方向（図１（ｃ）では水平方向）に対して所定の角度θを有するように傾斜して配設されることが好ましく、θ＝４５°〜９０°の範囲に設定することがさらに好ましい。これにより持ち運び易さはさらに向上するとともに、トレー１０の左右方向にも囲いが形成されることになり、飲食物がトレー１０から落下することを防止することができる。
【００２５】
なお、平板２０の突出部２３ａ〜２３ｅの近傍には、直線状に延びた凸部２４ａ〜２４ｅが形成されていることが好ましい。これにより、側壁板３０を平板２０に組み付けた際に、側壁板３０をより確実に平板２０に固定でき、側壁板３０の相対移動を制限することができる。なお、図１に示すように、突出部２３ａ〜２３ｅの上面及び下面に凸部２４ａ〜２４ｅがそれぞれ一対ずつ設けられており、対を構成する凸部２４（例えば、２４ａ，２４ａ）同士は側壁板３０の肉厚程度だけ離間していることがさらに好ましい。これにより、上述の固定や拘束の効果がさらに向上する。
【００２６】
また、側壁板３０には、側壁板３０の表面及び裏面にその上端から下端まで延びた少なくとも１つの切欠溝３１（本実施例では表面及び裏面の中央に１本ずつ）がさらに形成されていることが好ましい。これにより、本考案のトレー１０を組み立てる必要の無いとき（例えば、他の荷物とともにトレー１０を携行するときや食事を取り終えた後にトレー１０を持ち帰るとき）に、平板２０のみならず側壁板３０をも折り畳むことができるため、本考案のトレー１０の携帯性はさらに優れたものになる。
【００２７】
（トレー組み立て時以外での構成部材の携行状態）
図２に、各構成部材２０，３０がそれぞれの切欠溝２１ａ〜２１ｄ，３１を基に折り畳まれ、バンド等の帯状体４０を用いて一纏めにされた状態を示す。なお、帯状体４０の代わりに巾着袋等の袋状の物にこれらの構成部材２０，３０を纏めて収容してもよい。
【００２８】
図２に示すように、本考案のトレー１０は組み立て前には各構成部材２０，３０をコンパクトにした状態で一纏めにできる。これにより、ユーザーはスポーツ観戦施設等に出かける際にも、手持ちのバック等に入れて携行することができる。
【００２９】
また、これらの施設等で飲食物を提供（販売）する者が、主体となる飲食物とともに本考案のトレー１０を提供する等の利用形態も考えられる。なぜならば、本考案のトレー１０は、（１）上述のように嵩張らない状態で手渡すことができること、（２）観戦に訪れた者が常にトレーを持参しているとは考えられないこと、さらに、（３）平板２０の表面又は裏面にロゴ等を付すことで、スポーツ施設等の広告やお土産品にもなり得ること、等の理由が考えられるからである。
【００３０】
なお、図３は本考案のトレー１０の分解斜視図を示し、図４は組立完成後のトレー１０の斜視図を示し、図５は、実際に利用される際の（例えば、図示のように飲食物５０ａ，５０ｂ，５０ｃが載置された）トレー１０の一例を示した図である。
【実施例２】
【００３１】
次に、本考案の別の実施例（実施例２）に係る簡易組立式トレー１０について説明する。図６は組立完成後のトレー１０の斜視図を示す。実施例２では、平板２０に設けられた切欠溝２１は実施例１の場合よりも少なくその表面及び裏面に２本ずつのみ形成されているため、板区分２２の数は合計３区分（２２ａ，２２ｂ，２２ｃ）となる。なお、実施例２においては、側壁板３０に切欠溝は形成されていない。
【００３２】
本考案の切欠溝２１や板区分２２の数は、上述の実施例に制限されるわけでなく、携帯性や載置させる物の分量の要求に応じて、種々の変形・改良が可能であり、これらについても本考案の範囲に含まれる。
【産業上の利用可能性】
【００３３】
本考案の簡易組立式トレーは、屋外にて食事を取る際にその場で容易に組み立てが可能な上に、携帯性、コンパクト性、及びリサイクル性に富むものである。従って、本考案の簡易組立式トレーは、産業上の利用可能性が非常高い。
【符号の説明】
【００３４】
１０    簡易組立式トレー
２０    平板
２１（２１ａ，２１ｂ，２１ｃ，２１ｄ）    切欠溝
２２（２２ａ，２２ｂ，２２ｃ，２２ｄ，２２ｅ）    板区分
２３（２３ａ，２３ｂ，２３ｃ１，２３ｃ２，２３ｄ，２３ｅ）    突出部
２４（２４ａ，２４ｂ，２４ｃ１，２４ｃ２，２４ｄ，２４ｅ）    凸部
２５ａ，２５ｂ    湾曲部
２６ａ，２６ｂ    開口部
３０    側壁板
３１    切欠溝
３２（３２ａ，３２ｂ，３２ｃ１，３２ｃ２，３２ｄ，３２ｅ）    開口部
４０    帯状体
５０ａ，５０ｂ，５０ｃ    飲食物
【図１】
0003163761.tif 000003
【図２】
0003163761.tif 000004
【図３】
0003163761.tif 000005
【図４】
0003163761.tif 000006
【図５】
0003163761.tif 000007
【図６】
0003163761.tif 000008